(57)【要約】【課題】本発明は、印刷画線部以外の両側の領域に帯部と共に見当合わせマークを設けても、幅方向における印刷画線部以外の領域を必要以上に広く設定する必要がない印刷調整用マークを提供することを課題とする。【解決手段】被印刷物の印刷画線部３以外の両側にそれぞれ印刷された、帯状のベタ印刷である帯部１ｋ、１ｃ、１ｍ、１ｙ内に、見当合わせマーク２ｋ、２ｃ、２ｍ、２ｙを白抜きで形成する。また、各分色における帯部１を、見当合わせマーク２ｋ、２ｃ、２ｍ、２ｙが形成されている領域を除く箇所で、見当合わせマーク２ｋ、２ｃ、２ｍ、２ｙよりも幅を狭しり、全分色が刷り重ねられた帯部１に、全分色のそれぞれにおいて、他の１つの分色とのみ刷り重ねられた領域を形成させる。【選択図】        図２
2010046958.tif 000002
【特許請求の範囲】
【請求項１】
多色凸版輪転印刷で各分色の印字の際に、被印刷物の印刷画線部以外の両側にそれぞれ印刷され、各分色を印字する印字ユニットの調整を行う印刷調整用マークであって、
帯状のベタ印刷である帯部と、
該帯部内に白抜きで形成されている見当合わせマークとを具備することを特徴とする印刷調整用マーク。
【請求項２】
各分色における前記帯部が、前記見当合わせマークが形成されている領域を除く箇所で、前記見当合わせマークよりも幅が狭くなっており、
全分色が刷り重ねられた前記帯部には、全分色のそれぞれにおいて、他の１つの分色とのみ刷り重ねられた領域が形成されていることを特徴とする請求項１記載の印刷調整用マーク。
【発明の詳細な説明】
【技術分野】
【０００１】
本発明は、多色凸版輪転印刷の調整を行うための印刷調整用マークに関し、特に印刷画線部以外の領域に印刷された帯部と見当合わせマークとからなる印刷調整用マークに関する。
【背景技術】
【０００２】
従来、凸版輪転印刷では、被印刷物の印刷画線部以外の両側の領域に帯状のベタ印刷である帯部を印刷し、使用する印刷版において、印圧を加えすぎることによる文字のつぶれ等の防止や、印刷の左右印圧バランスの確認や、版胴に対する版の曲がりの確認を行っている。また、多色印刷では、各分色を印刷する際に、トンボと呼ばれる見当合わせマークを、被印刷物の印刷画線部以外の同一位置に印刷し、刷り重ねられた各分色の見当合わせマークを完全に一致させることで、各色の印刷位置を合わせる見当合わせが行われている（例えば、特許文献１参照）。
【０００３】
従って、凸版輪転印刷で、且つ多色印刷である場合、すなわち多色凸版輪転印刷である場合には、印刷を調整するための印刷調整用マークとして、被印刷物の印刷画線部以外の両側の領域に帯部と見当合わせマークとが印刷されることになる。図３は、従来の印刷調整用マークの構成を示す説明図であり、図３には、凸版輪転印刷で、且つ墨（Ｋ）、シアン（Ｃ）、マゼンタ（Ｍ）、イエロー（Ｙ）の４色印刷の例が示されている。図３（ａ）には、分色：墨（Ｋ）の帯部１０ｋおよび見当合わせマーク２０ｋの印刷例が、図３（ｂ）には、分色：シアン（Ｃ）の帯部１０ｃおよび見当合わせマーク２０ｃの印刷例が、図３（ｃ）には、分色：マゼンタ（Ｍ）の帯部１０ｍおよび見当合わせマーク２０ｍの印刷例が、図３（ｄ）には、分色：イエロー（Ｙ）の帯部１０ｙおよび見当合わせマーク２０ｙの印刷例が、図３（ｅ）には、各分色が刷り重ねられた帯部１０および見当合わせマーク２０の印刷例がそれぞれ示されている。
【０００４】
しかしながら、従来技術では、被印刷物の印刷画線部以外の両側の領域に、帯部と見当合わせマークとを幅方向に並べて設けているため、幅方向における印刷画線部以外の領域を広く設定しなければならないという問題点があった。
【０００５】
【特許文献１】特開２００３−９４６１１号公報
【発明の開示】
【発明が解決しようとする課題】
【０００６】
本発明は斯かる問題点に鑑みてなされたものであり、その目的とするところは、印刷画線部以外の両側の領域に帯部と共に見当合わせマークを設けても、幅方向における印刷画線部以外の領域を必要以上に広く設定する必要がない印刷調整用マークを提供する点にある。
【課題を解決するための手段】
【０００７】
本発明は上記課題を解決すべく、以下に掲げる構成とした。
請求項１記載の発明の要旨は、多色凸版輪転印刷で各分色の印字の際に、被印刷物の印刷画線部以外の両側にそれぞれ印刷され、各分色を印字する印字ユニットの調整を行う印刷調整用マークであって、帯状のベタ印刷である帯部と、該帯部内に白抜きで形成されている見当合わせマークとを具備することを特徴とする印刷調整用マークに存する。
また請求項２記載の発明の要旨は、各分色における前記帯部が、前記見当合わせマークが形成されている領域を除く箇所で、前記見当合わせマークよりも幅が狭くなっており、全分色が刷り重ねられた前記帯部には、全分色のそれぞれにおいて、他の１つの分色とのみ刷り重ねられた領域が形成されていることを特徴とする請求項１記載の印刷調整用マークに存する。
【発明の効果】
【０００８】
本発明の印刷調整用マークは、被印刷物の印刷画線部以外の両側にそれぞれ印刷された、帯状のベタ印刷である帯部内に、見当合わせマークを白抜きで形成するように構成することにより、印刷画線部以外の領域に帯部と共に見当合わせマークを設けても、帯部と見当合わせマークとを幅方向に並べる必要がないため、幅方向における印刷画線部以外の領域を必要以上に広く設定する必要がないという効果を奏する。
【０００９】
さらに、本発明の印刷調整用マークは、各分色における帯部を、見当合わせマークが形成されている領域を除く箇所で、見当合わせマークよりも幅を狭くし、全分色が刷り重ねられた帯部に、全分色のそれぞれにおいて、他の１つの分色とのみ刷り重ねられた領域を形成させることにより、当該領域で各分色を印刷するそれぞれの印刷ユニットの印圧を確認することができるため、全分色が刷り重ねられた両側の帯部を確認するだけで、各分色を印刷する印刷ユニットのそれぞれにおいて、印圧を加えすぎることによる文字のつぶれ等の防止や、印刷の左右印圧バランスの確認や、版胴に対する版の曲がりの確認を行うことができるという効果を奏する。
【発明を実施するための最良の形態】
【００１０】
以下、本発明の実施の形態を図面に基づいて詳細に説明する。
【００１１】
（第１の実施の形態）
図１は、本発明に係る印刷調整用マークの第１の実施の形態の構成を示す説明図である。
【００１２】
第１の実施の形態は、墨（Ｋ）、シアン（Ｃ）、マゼンタ（Ｍ）、イエロー（Ｙ）の４色の凸版輪転印刷において、被印刷物の印刷画線部３以外の両側の領域に印刷される印刷調整用マークであり、印刷画線部３以外の両側の領域にそれぞれ設けられている、帯状のベタ印刷である帯部１ｋ、１ｃ、１ｍ、１ｙと、帯部１、１ｋ、１ｃ、１ｍ、１ｙ内にそれぞれ白抜きで形成されている見当合わせマーク２ｋ、２ｃ、２ｍ、２ｙとを備えている。
【００１３】
図１（ａ）には、印刷画線部３以外の両側の領域にそれぞれ印刷された、分色：墨（Ｋ）の帯部１ｋが示されており、帯部１ｋの中に白抜きで見当合わせマーク２ｋが形成されている。これにより、墨（Ｋ）を印刷する印刷ユニットにおいて、印刷された両側の帯部１ｋを確認することで、印圧を加えすぎることによる文字のつぶれ等の防止や、印刷の左右印圧バランスの確認や、版胴に対する版の曲がりの確認を行うことができる。
【００１４】
図１（ｂ）には、印刷画線部３以外の両側の領域にそれぞれ印刷された、分色：シアン（Ｃ）の帯部１ｃが示されており、帯部１ｃの中に白抜きで見当合わせマーク２ｃが形成されている。これにより、シアン（Ｃ）を印刷する印刷ユニットにおいて、印刷された両側の帯部１ｃを確認することで、印圧を加えすぎることによる文字のつぶれ等の防止や、印刷の左右印圧バランスの確認や、版胴に対する版の曲がりの確認を行うことができる。
【００１５】
図１（ｃ）には、印刷画線部３以外の両側の領域にそれぞれ印刷された、分色：マゼンタ（Ｍ）の帯部１ｍが示されており、帯部１ｍの中に白抜きで見当合わせマーク２ｍが形成されている。これにより、マゼンタ（Ｍ）を印刷する印刷ユニットにおいて、印刷された両側の帯部１ｍを確認することで、印圧を加えすぎることによる文字のつぶれ等の防止や、印刷の左右印圧バランスの確認や、版胴に対する版の曲がりの確認を行うことができる。
【００１６】
図１（ｄ）には、印刷画線部３以外の両側の領域にそれぞれ印刷された、分色：イエロー（Ｙ）の帯部１ｙが示されており、帯部１ｙの中に白抜きで見当合わせマーク２ｙが形成されている。これにより、イエロー（Ｙ）を印刷する印刷ユニットにおいて、印刷された両側の帯部１ｙを確認することで、印圧を加えすぎることによる文字のつぶれ等の防止や、印刷の左右印圧バランスの確認や、版胴に対する版の曲がりの確認を行うことができる。
【００１７】
図１（ｅ）には、各分色：墨（Ｋ）、シアン（Ｃ）、マゼンタ（Ｍ）、イエロー（Ｙ）の帯部１ｋ、帯部１ｃ、帯部１ｍ、帯部１ｙが刷り重ねられた帯部１が示されており、帯部１の中に白抜きで見当合わせマーク２が形成されている。これにより、各分色の見当合わせマーク２ｋ、２ｃ、２ｍ、２ｙが完全に一致して、見当合わせマーク２が刷り重ねられるように見当合わせが行われる
【００１８】
（第２の実施の形態）
図２は、本発明に係る印刷調整用マークの第２の実施の形態の構成を示す説明図である。
【００１９】
第２の実施の形態では、図２（ａ）乃至（ｄ）を参照すると、各分色における帯部１１ｋ、１１ｃ、１１ｍ、１１ｙが、見当合わせマーク２ｋ、２ｃ、２ｍ、２ｙが形成されている領域Ｘを除く箇所で、見当合わせマーク２よりも幅が狭くなっており、墨（Ｋ）の帯部１１ｋとシアン（Ｃ）の帯部１１ｃとが幅方向において同一の位置に設けられていると共に、マゼンタ（Ｍ）の帯部１１ｍとイエロー（Ｙ）の帯部１１ｙとが幅方向において同一の位置に、且つ幅方向において墨（Ｋ）の帯部１１ｋおよびシアン（Ｃ）の帯部１１ｃとは、ずれた位置に設けられている。
【００２０】
従って、各分色：墨（Ｋ）、シアン（Ｃ）、マゼンタ（Ｍ）、イエロー（Ｙ）の帯部１１ｋ、帯部１１ｃ、帯部１１ｍ、帯部１１ｙが刷り重ねられた帯部１１においては、墨（Ｋ）の帯部１１ｋとシアン（Ｃ）の帯部１１ｃとの２色のみ刷り重ねられた領域と、マゼンタ（Ｍ）の帯部１１ｍとイエロー（Ｙ）の帯部１１ｙとの２色のみ刷り重ねられた領域とが形成されていることになる。
【００２１】
このように、帯部１１には、全分色のそれぞれにおいて、他の１つの分色とのみ刷り重ねられた領域が形成されているため、当該領域で各分色を印刷するそれぞれの印刷ユニットの印圧を確認することができるため、全分色が刷り重ねられた両側の帯部１１を確認するだけで、各分色を印刷する印刷ユニットのそれぞれにおいて、印圧を加えすぎることによる文字のつぶれ等の防止や、印刷の左右印圧バランスの確認や、版胴に対する版の曲がりの確認を行うことができる。
【００２２】
以上説明したように、本実施の形態によれば、被印刷物の印刷画線部３以外の両側にそれぞれ印刷された、帯状のベタ印刷である帯部１ｋ、１ｃ、１ｍ、１ｙ内に、見当合わせマーク２ｋ、２ｃ、２ｍ、２ｙを白抜きで形成するように構成することにより、印刷画線部以外の領域に帯部１ｋ、１ｃ、１ｍ、１ｙと共に見当合わせマーク２ｋ、２ｃ、２ｍ、２ｙを設けても、帯部１ｋ、１ｃ、１ｍ、１ｙと見当合わせマーク２ｋ、２ｃ、２ｍ、２ｙとを幅方向に並べる必要がないため、幅方向における印刷画線部３以外の領域を必要以上に広く設定する必要がないという効果を奏する。
【００２３】
さらに、本実施の形態によれば、各分色における帯部１１ｋ、１１ｃ、１１ｍ、１１ｙを、見当合わせマーク２ｋ、２ｃ、２ｍ、２ｙが形成されている領域を除く箇所で、見当合わせマーク２ｋ、２ｃ、２ｍ、２ｙよりも幅を狭くし、全分色が刷り重ねられた帯部１１に、全分色のそれぞれにおいて、他の１つの分色とのみ刷り重ねられた領域を形成させることにより、当該領域で各分色を印刷するそれぞれの印刷ユニットの印圧を確認することができるため、全分色が刷り重ねられた両側の帯部１１を確認するだけで、各分色を印刷する印刷ユニットのそれぞれにおいて、印圧を加えすぎることによる文字のつぶれ等の防止や、印刷の左右印圧バランスの確認や、版胴に対する版の曲がりの確認を行うことができるという効果を奏する。
【００２４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２５】
【図１】本発明に係る印刷調整用マークの第１の実施の形態の構成を示す説明図である。
【図２】本発明に係る印刷調整用マークの第２の実施の形態の構成を示す説明図である。
【図３】従来の印刷調整用マークの構成を示す説明図である。
【符号の説明】
【００２６】
１、１ｋ、１ｃ、１ｍ、１ｙ  帯部（第１の実施の形態）
２、２ｋ、２ｃ、２ｍ、２ｙ  見当合わせマーク
３  印刷画線部
１１、１１ｋ、１１ｃ、１１ｍ、１１ｙ  帯部（第２の実施の形態）
【図１】
2010046958.tif 000003
【図２】
2010046958.tif 000004
【図３】
2010046958.tif 000005